(57)【要約】      （修正有）【課題】コンパクトで場所をとらず体裁の良い送風装置を提供する。【解決手段】起風装置１の上流側に給気装置２を設け、起風装置１の下流側に給気筒３を立設する。起風装置１は箱状の筐体からなる起風装置本体４と、円錐状の給気案内部５と、ファンとからなり、給気筒３はその外周の重力方向にスリット８を形成すると共に、上端が閉塞され、下端が給気案内部５に接続される。【選択図】図１
0003218231.tif 000002
【実用新案登録請求の範囲】
【請求項１】
起風装置（１）の上流側に給気装置（２）が設けられ、起風装置（１）の下流側に給気筒（３）が重力方向に立設された送風装置において、
起風装置（１）は、箱状の筐体からなる起風装置本体（４）と、その起風装置本体（４）の下流側に接続され、軸線が重力方向に位置され、上端側が縮小する円錐形または角錐形の給気案内部（５）と、その給気案内部（５）に内装されて、給気を下方から上方に押上げるファン（６）と、給気案内部（５）の下端に設けた吸込み部（７）とを有し、
前記給気筒（３）は、その外周の重力方向に吹出しスリット（８）が形成されると共に、上端が閉塞され、下端が前記給気案内部（５）に接続され、
給気装置（２）から吸引された外気が、起風装置（１）の吸込み部（７）、給気案内部（５）、ファン（６）を介して、給気筒（３）の吹き出しスリット（８）から外部に吹き出すように構成したことを特徴とする送風装置。
【請求項２】
前記給気装置（２）は、外気を冷却する熱交換器（２ａ）と、その熱交換器（２ａ）と前記起風装置（１）とが連結されるフレキシブルダクト（１０）と、を具備する請求項１に記載の送風装置。
【請求項３】
前記熱交換器（２ａ）と、複数の起風装置（１）との間に、分岐チャンバー（２４）が介装されて、熱交換器（２ａ）から流出する冷気を各起風装置（１）に分配することを特徴とする請求項２に記載の送風装置。
【請求項４】
前記給気装置（２）は、外周に給気孔（１１）を有する箱状の冷却装置本体（２ｂ）と、前記冷却装置本体（２ｂ）内に配置された複数の棚（１３）と、各棚（１３）に挿脱自在に収納される複数の保冷剤（１４）とを具備し、
給気孔（１１）から吸引した外気が、保冷剤（１４）で冷却される請求項１に記載の送風装置。
【考案の詳細な説明】
【技術分野】
【０００１】
本考案は、重力方向に吹き出しスリットを有する給気筒から、主として冷風を吹き出す送風装置に関する。
【背景技術】
【０００２】
下記特許文献１に記載の携帯式冷風発生装置は、装置本体の内部に保冷材を収納するとともに、送風機により、外気を取り込み、保冷材で冷却された外気を、ホースを介して、必要な場所に供給するものである。
また、特許文献２に記載の簡易冷暖房装置は、本体ハウジング内に熱交換器、或いはヒーターを設け、ファンによって吹き出し口から外部へ冷気、又は暖気を放出するものである。
【先行技術文献】
【特許文献】
【０００３】
【特許文献１】特開２０１４−４４０４３号公報
【特許文献２】特開２００２−３４９８９８号公報
【考案の概要】
【考案が解決しようとする課題】
【０００４】
上記各特許文献に記載された冷風発生装置又は冷暖房装置は、内部に保冷材又は熱交換器或いはヒーターを収納し、送風機又はファンによってホースを介して又は吹き出し口から、冷気又は暖気を放出するものである。
これらは、いずれも装置本体が大型にならざるを得ない欠点があった。
そこで、本考案はコンパクトで場所をとらず、体裁の良い送風装置を提供することを課題とする。
【課題を解決するための手段】
【０００５】
請求項１に記載の考案は、起風装置１の上流側に給気装置２が設けられ、起風装置１の下流側に給気筒３が重力方向に立設された送風装置において、
起風装置１は、箱状の筐体からなる起風装置本体４と、その起風装置本体４の下流側に接続され、軸線が重力方向に位置され、上端側が縮小する円錐形または角錐形の給気案内部５と、その給気案内部５に内装されて、給気を下方から上方に押上げるファン６と、給気案内部５の下端に設けた吸込み部７とを有し、
前記給気筒３は、その外周の重力方向に吹出しスリット８が形成されると共に、上端が閉塞され、下端が前記給気案内部５に接続され、
給気装置２から吸引された外気が、起風装置１の吸込み部７、給気案内部５、ファン６を介して、給気筒３の吹き出しスリット８から外部に吹き出すように構成したことを特徴とする送風装置である。
【０００６】
請求項２に記載の考案の前記給気装置２は、外気を冷却する熱交換器２ａと、その熱交換器２ａと前記起風装置１とが連結されるフレキシブルダクト１０と、を具備する請求項１に記載の送風装置である。
【０００７】
請求項３に記載の考案は、熱交換器２ａと、複数の起風装置１との間に、分岐チャンバー２４が介装されて、熱交換器２ａから流出する冷気を各起風装置１に分配することを特徴とする請求項２に記載の送風装置である。
【０００８】
請求項４に記載の考案は、前記給気装置２は、外周に給気孔１１を有する箱状の冷却装置本体２ｂと、前記冷却装置本体２ｂ内に配置された複数の棚１３と、各棚１３に挿脱自在に収納される複数の保冷剤１４とを具備し、
給気孔１１から吸引した外気が、保冷剤１４で冷却される請求項１に記載の送風装置である。
【考案の効果】
【０００９】
請求項１に記載の考案は、起風装置１の給気案内部５が円錐形または角錐形に形成され、その内部に給気を下方から上方に押上げるファン６が配置され、その給気案内部５に給気筒３の下端が接続されたものである。そのため、給気は円錐形または角錐形の起風装置１の内周に案内されて、次第に収束して、円滑に給気筒３のスリット８より外部に放出される効果がある。そのため、風量の大きな送風装置となる。
【００１０】
請求項２に記載の考案は、給気装置２を形成する熱交換器２ａが、フレキシブルダクト１０を介して起風装置１に接続されたものである。そのため、適宜狭小な場所を有効に利用して熱交換器２ａを配置できる。
【００１１】
請求項３に記載の考案は、熱交換器２ａと、複数の起風装置１との間に、分岐チャンバー２４が介装されて、熱交換器２ａから流出する冷気を各起風装置１に分配するものである。従って、この考案によれば、一つの熱交換器２ａからの冷気を複数の起風装置に供給して、複数箇所を冷却することができる。
【００１２】
請求項４に記載の考案は、給気装置２を形成する箱状の冷却装置本体２ｂの棚１３に、保冷剤１４が挿脱自在に収納されるものである。そして、給気孔１１から吸引した外気を保冷剤１４で冷却する。そのため、省スペースで、送風装置の全体をコンパクトにすることができる。
【図面の簡単な説明】
【００１３】
【図１】本考案の送風装置の第１の実施形態を示す斜視図。
【図２】同送風装置に用いる起風装置１の分解斜視図。
【図３】同装置に用いられるファン６の斜視図。
【図４】同装置の要部縦断面図。
【図５】本考案の送風装置の第２の実施形態の要部断面図。
【図６】同斜視図。
【図７】本考案の送風装置の第３の実施形態を示す斜視図。
【考案を実施するための形態】
【００１４】
次に、図面に基づいて本考案の実施の形態につき、説明する。
図１は、本考案の第１の実施形態の全体斜視図であり、図２は、その起風装置１の要部分解図、図３は、同装置に用いられるファン６の下面側から見た斜視図、図４は、同装置の縦断面図である。
この考案の送風装置は、主として、冷風を供給する冷風装置であるが、それに替えて、暖気を供給する装置として用いることもできる。さらには、外気をそのまま特定の方向に供給することもできる。
【００１５】
この実施形態の送風装置は、起風装置１の上流側に給気装置２が設けられ、起風装置１の下流側に給気筒３が重力方向に立設されている。給気筒３は、その外周の重力方向に吹出しスリット８が形成されると共に、上端が端蓋９により閉塞され、下端が給気案内部５に接続されている。
起風装置１を構成する起風装置本体４は箱状の筐体からなり、一端にフレキシブルダクト１０の接続部としてカプラ１９ａが設けられている。起風装置本体４の下流側には、軸線が重力方向に位置され、上端が縮小する円錐形の給気案内部５が接続されている。給気案内部５は、円錐形に限られるものではなく、６角錐等の角錐形にすることができる。
【００１６】
その給気案内部５内には、埋め込み型のファン６が内装される。このファン６は、図２及び図３に示す如く、上部にファンモータ６ａを有し、下部に翼部６ｂが配置されている。ファン６には通風口６ｃが環状に形成されている。このファン６により、給気を下方から上方に押上げる。
そのファン６は中間保持体２０に載置され、その中間保持体２０が下部支持体２１に取り付けられている。
【００１７】
下部支持体２１は、図４に示す如く、横断面が外側に開くＶ字状に形成された環状の吸込み部７を有する。そして、その吸込み部７のＶ字状の上方側に多数の小孔７ａが形成されている。
【００１８】
この実施形態では、給気装置２として熱交換器２ａを使用する。
その熱交換器２ａにより冷却された外気が、フレキシブルダクト１０を介し、起風装置本体４に供給される。そして、起風装置１の吸込み部７、埋め込み型のファン６を介して、冷気が給気案内部５に導かれる。次いで、冷気が給気案内部５から給気筒３に供給され、その冷気が給気筒３のスリット８から外部に放出されるものである。
【００１９】
すなわち、フレキシブルダクト１０から供給された冷気が吸込み部７の小孔７ａを介し、中間保持体２０の内側からファン６の通風口６ｃを通り、給気筒３に導かれ、給気筒３のスリット８から冷風が外部に放出される。
また、起風装置本体４の下面には、４つのキャスタ１８が突設され、送風装置を所望の位置に移動自在に搬送できるようにしている。
【００２０】
この実施形態では、図面に記載されていないが、給気筒３を給気案内部５又は起風装置本体４に対して、首ふり自在にすることができる。そのためには、一例として、公知の扇風機の首ふり機構を適用できる、即ち、ファンモータ６ａの回転軸にウォームを取付け、それに歯合するウォームギア及びクランク機構を介して、少なくとも給気筒３と給気案内部５の上部５ｂをその軸線の周りに首振り回転自在にすることができる。
【００２１】
図２において、中間保持体２０の外周の一部には、起動センサ１５と電源表示１６が設けられている。そして、図示しない赤外線リモコンを介し、起動センサ１５に赤外線を照射して、給気装置２及び図２のファン６のファンモータ６ａを駆動して、冷風を給気筒３のスリット８から放出させることができる。
【００２２】
次に、図５及び図６は、本考案の第２実施形態であり、この形態が前記第１実施形態と異なる点は、給気装置２の構造である。この形態では、給気装置２としての冷却装置本体２ｂに、図６に示す複数段の棚１３が設けられ、各棚１３に保冷剤１４が着脱自在に挿入される。この保冷剤１４は、家庭用冷蔵庫または業務用冷蔵庫等において、あらかじめ冷却されたものが用いられる。
【００２３】
冷却装置本体２ｂには、その両端にヒンジ１９が設けられ、側蓋１７を冷却装置本体２ｂに対して開閉自在に閉塞する。側蓋１７には多数の給気孔１１が設けられ、その隙間から外気を給気案内部５に導くことができる。なお、給気装置と起風装置とを一体化することもできる。
【００２４】
次に、図７は本考案の第３実施例であり、熱交換器２ａと、複数の起風装置１との間に、分岐チャンバー２４が介装されて、それにより、一つの熱交換器２ａから流出する冷気を各起風装置１に分配することができるものである。
【産業上の利用可能性】
【００２５】
本考案は、主として、冷却空気を送風する送風装置に利用できる。ただし、冷却空気に限られるものではなく、通常の空気や、温めた空気等を送風する装置としても使用できる。
【符号の説明】
【００２６】
１  起風装置
２  給気装置
２ａ  熱交換器
２ｂ  冷却装置本体
３  給気筒
４  起風装置本体
５  給気案内部
５ａ  下部
５ｂ  上部
【００２７】
６  ファン
６ａ  ファンモータ
６ｂ  翼部
６ｃ  通風口
７  吸込み部
７ａ  小孔
８  スリット
９  端蓋
１０  フレキシブルダクト
１１  給気孔
１３  棚
【００２８】
１４  保冷剤
１５  起動センサ
１６  電源表示
１７  側蓋
１８  キャスタ
１９  ヒンジ
１９ａ  カプラ
２０  中間保持体
２１  下部支持体
２４  分岐チャンバー
【図１】
0003218231.tif 000003
【図２】
0003218231.tif 000004
【図３】
0003218231.tif 000005
【図４】
0003218231.tif 000006
【図５】
0003218231.tif 000007
【図６】
0003218231.tif 000008
【図７】
0003218231.tif 000009